【事件の表示】
　特許第２９８８３４１号「カラー印刷装置」の請求項１に係る特許に対する特許異議の申立てについて、次のとおり決定する。
【結　論】
　訂正を認める。
　特許第２９８８３４１号の請求項１に係る特許を取り消す。
【理　由】
１．手続きの経緯
　特許第2988341号の請求項１に係る発明は、平成7年10月19日に特許出願され、平成11年10月8日にその特許権の設定登録がなされ、その後、渡部廣美（以下、「第１申立人」という。）、高橋稔（以下、「第２申立人」という。）より特許異議の申立てがなされ、取消しの理由が通知され、その指定期間内である平成12年12月21日に特許異議意見書の提出とともに、訂正請求がなされたものであり、その後、当審により第１申立人と第２申立人に対して審尋がなされ、それぞれ平成13年3月21日、平成13年3月19日に回答書が提出されたものである。
　
２．訂正の適否についての判断
（１）訂正の内容
［訂正事項ａ］
特許請求の範囲の請求項１の
　「モノクロ印刷モードと、少なくともイエロー、マゼンダ、シアン色を合成して印刷するカラー印刷モードとを備え、各色毎にプロセス処理のタイミングが異なる複数の画像形成プロセス処理部を備えた電子写真方式のカラー印刷装置において、モノクロ印刷の画像形成プロセス専用に用いる高圧電源と、イエロー、マゼンダ、シアンの各色の画像形成プロセスに共通に用いる高圧電源とを別個に備えたことを特徴とするカラー印刷装置。」
を、
「モノクロ印刷モードと、少なくともイエロー、マゼンダ、シアン色を合成して印刷するカラー印刷モードとを備え、各色毎に単色の画像が形成される感光体を含むとともにプロセス処理のタイミングが異なる複数の画像形成プロセス処理部を備えた電子写真方式のカラー印刷装置において、モノクロ印刷の画像形成プロセス専用に用いる高圧電源と、イエロー、マゼンダ、シアンの各色の画像形成プロセスに共通に用いる高圧電源とを別個に備えたことを特徴とするカラー印刷装置。」
と訂正する。
［訂正事項ｂ］
明細書の段落番号［００１１］を、
「［課題を解決するための手段］本発明は上記目的を達成する為、モノクロ印刷モードと、少なくてもイエロー、マゼンダ、シアン色を合成して印刷するカラー印刷モードとを備え、各色毎に単色の画像が形成される感光体を含むとともにプロセス処理のタイミングが異なる複数の画像形成プロセス処理部を備えた電子写真方式のカラー印刷装置において、モノクロ印刷の画像形成プロセス専用に用いる高圧電源と、イエロー、マゼンダ、シアンの各色の画像形成プロセスに共通に用いる高圧電源とを別個に備えたカラー印刷装置を提供することにより達成できる。」
と訂正する。
　
（２）訂正の目的の適否、新規事項の有無及び拡張・変更の存否
　訂正事項ａは、「各色毎にプロセス処理のタイミングが異なる複数の画像形成プロセス処理部」を「各色毎に単色の画像が形成される感光体を含むとともにプロセス処理のタイミングが異なる複数の画像形成プロセス処理部」と限定するものであり、特許請求の範囲の減縮を目的とするものである。
　訂正事項ｂは、特許請求の範囲の訂正に伴って、［課題を解決するための手段］の記載を整合させるものであり、明りょうでない記載の釈明を目的とするものである。
　そして、訂正事項は、出願当初の明細書及び特許明細書の段落番号0018〜0021に記載されていて新規事項の追加には該当しないし、実質的に特許請求の範囲を拡張したり変更するものではない。
　
（３）むすび
　以上のとおりであるから、上記訂正は、特許法第120条の4第2項及び同条第3項において準用する特許法第126条第2項から第4項までの規定に適合するので、当該訂正を認める。
　
３．特許異議申立についての判断
（１）申立の理由の概要
　第１申立人、第２申立人とも、本件の請求項１に係る発明は、本件特許出願前の特許出願であって本件特許の出願後に公開された特願平6-202176号（特開平8-62924号）の願書に最初に添付した明細書または図面に記載された発明（以下「先願発明」という。）と同一のものであり、しかも発明者及び出願人が同一ではないから、特許法第29条の2の規定により特許を受けることができない発明であると主張している。
　
（２）本件の請求項１に係る発明
　上記２．で示したように上記訂正が認められるから、本件の請求項１に係る発明は、訂正明細書の特許請求の範囲の請求項１に記載された次のとおりのものである。（以下、「本件発明」という。）
「モノクロ印刷モードと、少なくともイエロー、マゼンダ、シアン色を合成して印刷するカラー印刷モードとを備え、各色毎に単色の画像が形成される感光体を含むとともにプロセス処理のタイミングが異なる複数の画像形成プロセス処理部を備えた電子写真方式のカラー印刷装置において、モノクロ印刷の画像形成プロセス専用に用いる高圧電源と、イエロー、マゼンダ、シアンの各色の画像形成プロセスに共通に用いる高圧電源とを別個に備えたことを特徴とするカラー印刷装置。」
　
（３）先願発明
１．［産業上の利用分野］本発明は、像形成体の周面に帯電手段、像露光手段および現像手段から成る複数の画像形成手段を配置し、該画像形成手段を順次作動させることによって像形成体上にトナー像を重ね合わせてカラー画像の形成を行うカラー画像形成装置に関する。（段落番号0001）
２．［従来の技術］像形成体の周面にそれぞれ帯電、像露光および現像の各手段から成る複数組の画像形成ユニットと回転方向に配列し、上流側のユニットから順次例えばイエロー（Ｙ）、マゼンタ（Ｍ）、シアン（Ｃ）および黒（Ｋ）の各色のトナー像を形成してこれを重ね合わせて像形成体の一回転中にカラーのトナー画像を形成するカラー画像形成装置が知られている。かかる装置は、前述した各トナー像が僅かな時間差を置いて連続して形成されるのでカラー画像形成に要する時間が短く従って高速コピーが可能であり、また像形成体に画像をエンドレスの状態で形成することも出来るのでサイズの大きいコピーも出来る特徴を有している。（段落番号0002、0003）
３．［発明が解決しようとする課題］しかしながら各帯電手段、各現像手段を、前述した各色のトナー像形成のタイミングに応じて作動するよう個々に制御する必要があるので、回路の構成や駆動の機構が複雑化してコストが増大すると共に収納のためのスペースを要して装置の大型化する短所もある。また特に現像手段に関しては、その駆動を個々に制御する形式とすると、一方のトナー像の像露光中に他方のトナー画像の現像手段の駆動開始や停止が行われるためにその際の振動により形成される画像の画質に悪影響を与えるおそれもある。本発明はこれ等の点を解決して改良した結果、各帯電手段および各現像手段を作動するための回路や機構が簡単であり、さらに現像手段の作動に伴う画質の低下を回避して高品質の画像を高速で形成することを可能としたカラー画像形成装置の提供を目的としたものである。（段落番号0004-0006）
４．［課題を解決するための手段］上記目的は、像形成体に対し、帯電手段による帯電、像露光手段による像露光、現像手段による現像を繰り返して前記像形成体上にトナー像を重ね合わせて形成後、転写材に一括転写を行うカラー画像形成装置において、前記現像手段は黒およびイエロー、マゼンタ、シアンからなるカラー用現像器から構成され、前記黒用現像器は単独での駆動が、イエロー、マゼンタ、シアン用現像器は同一駆動源からの同時駆動が可能であり、黒単色画像形成時には前記黒用現像器が単独で駆動され、黒トナーを使用しない画像形成時やカラー画像形成時には少なくとも前記イエロー、マゼンタ、シアンからなるカラー用現像器が同時に駆動されることを特徴とするカラー画像形成装置（第１発明）、および像形成体に対し、帯電手段による帯電、像露光手段による像露光、現像手段による現像を繰り返して前記像形成体上にトナー像を重ね合わせて形成後、転写材に一括転写を行うカラー画像形成装置において、前記現像手段は黒およびイエロー、マゼンタ、シアンからなる現像器から構成され、前記黒用現像器は単独での現像バイアス印加が、イエロー、マゼンタ、シアン用現像器は同一現像バイアス源からの同時印加が可能であり、黒単色画像形成時には前記黒用現像器が単独で現像バイアスを印加され、黒トナーを使用しない画像形成時やカラー画像形成時には少なくとも前記イエロー、マゼンタ、シアンからなるカラー用現像器が同時に現像バイアスを印加されることを特徴とするカラー画像形成装置（第２発明）、および像形成体に対し、帯電手段による帯電、像露光手段による像露光、現像手段による現像を繰り返して前記像形成体上にトナー像を重ね合わせて形成後、転写材に一括転写を行うカラー画像形成装置において、前記帯電手段は黒およびイエロー、マゼンタ、シアンからなるカラー用帯電器から構成され、前記黒用帯電器は単独での作動が、イエロー、マゼンタ、シアン用帯電器は同一電源からの作動が可能であり、黒単色画像形成時には前記黒用帯電器が単独で作動され、黒トナーを使用しない画像形成時やカラー画像形成時には少なくとも前記イエロー、マゼンタ、シアンからなるカラー用帯電器が同時に作動されることを特徴とするカラー画像形成装置（第３発明）によって達成される。（段落番号0007）
５．前記の各現像器は図２に示すように２つの駆動系により区分して駆動され、現像器14（Ｙ），現像器14（Ｍ），現像器14（Ｃ）はモーターＭ１を駆動源として同時に駆動され、14（Ｋ）は別のモーターＭ２を動力源として単独に駆動される。（段落番号0027）
６．前記の各現像器に対する現像バイアスは図４に示すように２つの交流電源により区分して印加されるようになっていて、現像器14（Ｙ），14（Ｍ），14（Ｃ）に対する現像バイアスは交流電源ＡＣ１を電源として同時に印加され、現像器14（Ｋ）に対する現像バイアスは別の交流電源ＡＣ２を電源として単独に印加される。（段落番号0034）
７．前記の各帯電器は図６に示すように２つの高圧電源により区分して電圧が加えられるようになっていて、帯電器12（Ｙ），12（Ｍ），12（Ｃ）は高圧電源ＨＶ１により同時に、帯電器12（Ｋ）は高圧電源ＨＶ２により単独に電圧が加えられる。（段落番号0045）
　以上の記載を対比のためにまとめると、先願発明は次のとおりのものである。
「黒単色画像形成時と、イエロー、マゼンダ、シアン色を合成して印刷するカラー画像形成時とを備え、各色のトナー像を重ねて形成する像形成体を含むとともに、トナー像形成のタイミングに応じて作動する複数の画像形成手段を備えたカラー画像形成装置において、黒単色画像形成プロセス専用に用いる高圧電源と、イエロー、マゼンダ、シアンの各色の画像形成プロセスに共通に用いる高圧電源とを別個に備えたカラー画像形成装置。」
　
（４）対比・判断
　本件発明を先願発明と対比すると、
ａ）先願発明の「黒単色画像形成時」、「カラー画像形成時」、「トナー像形成のタイミングに応じて作動する複数の画像形成手段」は、それぞれ「モノクロ印刷モード」、「カラー印刷モード」、「プロセス処理のタイミングが異なる複数の画像形成プロセス処理部」に相当し、
ｂ）先願発明のカラー画像形成装置は、「電子写真式のカラー印刷装置」ということができ、
　以上のことから、両者間には次のような一致点、相違点がある。
（一致点）
　モノクロ印刷モードと、少なくともイエロー、マゼンダ、シアン色を合成して印刷するカラー印刷モードとを備え、プロセス処理のタイミングが異なる複数の画像形成プロセス処理部を備えた電子写真方式のカラー印刷装置において、モノクロ印刷の画像形成プロセス専用に用いる高圧電源と、イエロー、マゼンダ、シアンの各色の画像形成プロセスに共通に用いる高圧電源とを別個に備えたことを特徴とするカラー印刷装置。
（相違点）
　複数の画像形成プロセス処理部が、本件発明では「各色毎に単色の画像が形成される感光体を含む」のに対して、先願発明は「各色のトナー像を重ねて形成する像形成体を含む」点。
（相違点の検討）
　まず、本件発明は、明細書の「発明が解決しようとする課題」の項に記載されているように、
ａ）各色毎にプロセス処理のシーケンスタイミングが異なるので、各現像ユニット内の帯電器、および現像ロールに対して個別に電圧ユニットを設け、帯電用高電圧や所定のバイアス電圧を付与していた為、多くの高圧ユニットを使用していた。
ｂ）これを改善するために、すべての色の画像プロセスにおいて共通の高圧電源を用い、高圧ユニットの単一化を図る提案がなされている。
ｃ）このため、カラー印刷だけではなくモノクロ印刷モードでの印刷機能をも兼ね備えたカラー印刷装置が提案されてきている。
ｄ）各色のプロセス高圧電源を単一化した場合、ＢＫプロセスだけを利用するモノクロモード時においてもＹ、Ｍ、Ｃのプロセス処理部に高圧が供給されることになり、高圧電源の無駄な負荷が大きくなり高圧電源の寿命が短くなると共に、印刷モードによって利用されないプロセス処理部の帯電装置や現像装置が消耗することになる。
　という従来技術の問題点をふまえ、「解決しようとする課題」は次の点にある。
「色別に複数の処理部を有する電子写真カラー画像形成装置において、高圧電源を全て共通化し単一構成とすることが有利な構成でありながら、カラーモードとモノクロモードの２種の印刷モードを備える装置の場合、カラー用とモノクロ用とで高圧電源をそれぞれ分離独立して利用可能に構成し、高圧電源やプロセス処理部の寿命を長期化することができるようにしたことを特徴とする電子写真カラー画像形成装置を提供するものである。」
　ところで、この種のカラー印刷装置のプロセス処理部において、本件発明のように「各色毎に単色の画像が形成される感光体を含む」もの（前者）と、先願発明のように「各色のトナー像を重ねて形成する像形成体を含む」もの（後者）は何れも周知であるし、何れのタイプにおいても電源の共通化を図ることも周知である。（特開昭63-13061号公報や特開平3-89264号公報には前者のタイプのカラー印刷装置が、特開平4-43372号公報や特開平7-168416号公報には後者のタイプのカラー印刷装置が記載されている。）
　そして、上記本件発明が解決しようとする従来技術の問題点は、上記両タイプのカラー印刷装置において共通する問題点であり、解決しようとする課題も両タイプにおいて共通する課題である。この点に関しては特許権者も異議意見書において「従って、上記先願明細書の発明とは、目的、効果は類似するものの、構成が大きく異なるものであります。」（異議意見書第2頁第10行〜11行）と主張している。
　したがって、本件発明は上記「解決しようとする課題」をそれ自体周知である「各色毎に単色の画像が形成される感光体を含む」プロセス処理部を有するカラー印刷装置において具体化したものであり、上記相違点は課題解決のための具体化手段における微差である。
　なお、審判請求人は異議意見書において、先願発明のようなタイプのプロセス処理部は、その形式上電源を共通にするのが至極当然であるのに対して、本件発明のようなタイプのプロセス処理部は電源を個別に設ける方が好ましいものであった旨主張しているが、上であげた周知技術には前者のタイプでありながら電源を共通にするものが記載されているし、後者のタイプでありながら電源を個別に設けること（特開平4-43372号公報や特開平7-168416号公報の従来技術の説明参照）が記載されており、審判請求人の主張は採用できない。
（まとめ）
　したがって、本件発明は先願発明と実質的に同一であり、先願発明の発明者が本件発明の発明者と同一であるとも、本件発明の出願時においてその出願人が、先願発明の出願人と同一であるともいえないので、本件発明は特許法第２９条の２の規定により特許を受けることができない。
　
（５）むすび
　以上のとおりであるから、本件発明の特許は拒絶の査定をしなければならない特許出願に対してされたものであると認める。
　よって、平成６年改正法附則第14条の規定に基づく、特許法等の一部を改正する法律の施行に伴う経過措置を定める政令（平成７年政令第205号）第4条第2項の規定により、結論のとおり決定する。
【異議決定日】
平成１３年４月１７日（２００１．４．１７）
【訂正の要旨】
訂正の要旨
［訂正事項ａ］
特許請求の範囲の請求項１の
　「モノクロ印刷モードと、少なくともイエロー、マゼンダ、シアン色を合成して印刷するカラー印刷モードとを備え、各色毎にプロセス処理のタイミングが異なる複数の画像形成プロセス処理部を備えた電子写真方式のカラー印刷装置において、モノクロ印刷の画像形成プロセス専用に用いる高圧電源と、イエロー、マゼンダ、シアンの各色の画像形成プロセスに共通に用いる高圧電源とを別個に備えたことを特徴とするカラー印刷装置。」
を、特許請求の範囲の減縮を目的として
「モノクロ印刷モードと、少なくともイエロー、マゼンダ、シアン色を合成して印刷するカラー印刷モードとを備え、各色毎に単色の画像が形成される感光体を含むとともにプロセス処理のタイミングが異なる複数の画像形成プロセス処理部を備えた電子写真方式のカラー印刷装置において、モノクロ印刷の画像形成プロセス専用に用いる高圧電源と、イエロー、マゼンダ、シアンの各色の画像形成プロセスに共通に用いる高圧電源とを別個に備えたことを特徴とするカラー印刷装置。」
と訂正する。
［訂正事項ｂ］
明細書の段落番号［００１１］を、明りょうでない記載の釈明を目的として、
「［課題を解決するための手段］本発明は上記目的を達成する為、モノクロ印刷モードと、少なくてもイエロー、マゼンダ、シアン色を合成して印刷するカラー印刷モードとを備え、各色毎に単色の画像が形成される感光体を含むとともにプロセス処理のタイミングが異なる複数の画像形成プロセス処理部を備えた電子写真方式のカラー印刷装置において、モノクロ印刷の画像形成プロセス専用に用いる高圧電源と、イエロー、マゼンダ、シアンの各色の画像形成プロセスに共通に用いる高圧電源とを別個に備えたカラー印刷装置を提供することにより達成できる。」
と訂正する。
（５４）【発明の名称】
カラー印刷装置
（５７）【特許請求の範囲】
　【請求項１】　モノクロ印刷モードと、少なくともイエロー、マゼンダ、シアン色を合成して印刷するカラー印刷モードとを備え、各色毎に
単色の画像が形成される感光体を含むとともに
　モノクロ印刷の画像形成プロセス専用に用いる高圧電源と、イエロー、マゼンダ、シアンの各色の画像形成プロセスに共通に用いる高圧電源とを別個に備えたことを特徴とするカラー印刷装置。
【発明の詳細な説明】
　【０００１】
　【発明の属する技術分野】
　本発明は電子写真方式を用いた印刷装置に係り、特に少ない数の高圧ユニットを用いてカラー印刷を行うカラー印刷装置に関する。
　【０００２】
　【従来の技術】
　印刷装置として、例えばホストコンピュータに接続したプリンタ装置が知られている。このような印刷装置の中で電子写真方式を用いたプリンタ装置は、インクジェット方式や熱転写方式等の方式に比べ、印字品質が優れている。この為、電子写真方式を用いたプリンタ装置は、カラー印刷用としても広く用いられている。
　【０００３】
　電子写真方式を使用するカラー印刷装置は、イエロー（Ｙ）、マゼンダ（Ｍ）、シアン（Ｃ）色のトナーを収納した３個の現像ユニットを順次配設し、例えばホストコンピュータから出力された印刷情報から上述の３色の印刷データを分離し、メモリに記憶した後、各印刷データをメモリから読み出し、対応する現像ユニットの印刷ヘッド（印刷部）に出力する。そして、予め帯電器により一定の電荷が付与された感光体ドラムの感光面に静電潜像を形成すると共に、所定のバイアス電圧が印加された現像ロールによって感光面に対応する色のトナー画像を形成し、順次各色のトナー像を記録紙に転写する。その後、熱定着器で記録紙のトナー像を溶融し、記録紙上に減法混色の原理に基づくカラー印刷画像を作成する。
　【０００４】
　このような構成のカラー印刷装置において、各現像ユニット内の帯電器、及び現像ロールには個別に専用の高圧ユニットが接続されている。そして、各高圧ユニット毎に個別に接続する帯電器に帯電用高電圧を付与し、現像ロールに所定のバイアス電圧を付与している。
　【０００５】
　【発明が解決しようとする課題】
　上記のように、従来の電子写真方式を用いたカラー印刷装置では、各色毎にプロセス処理のシーケンスタイミングが異なるので、各現像ユニット内の帯電器、及び現像ロールに対して個別に電圧ユニットを設け、帯電用高電圧や所定のバイアス電圧を付与していた為、多くの高圧ユニットを使用していた。
　【０００６】
　この為、従来のカラー印刷装置では、多くの高圧ユニットを装置内に配設する為、広いスペースが必要であり、装置の大型化やコストアップの原因になっていた。
　【０００７】
　これを改善するために、全ての色の画像プロセスにおいて共通の高圧電源を用い、高圧ユニットの単一化を図る提案がなされている。一方、昨今のカラー印刷の普及が目覚ましいとは言え、一般のオフィス事務においてフルカラーの印刷が頻繁に必要になるということは未だそれほど多くはない。この為、カラー印刷だけではなくモノクロ印刷モードでの印刷機能をも兼ね備えたカラー印刷装置が提案されてきている。
　【０００８】
　この様な複数モードカラー印刷装置では、モノクロ印刷モードとカラー印刷モードの利用比率は、経済的な面から見ても特別な場合を除いてモノクロ印刷モードの方が多くなるはずである。
　【０００９】
　もしこの様な状況で、複数モードカラー印刷装置のイエロー（Ｙ）・マゼンダ（Ｍ）・シアン（Ｃ）・ブラック（ＢＫ）各色のプロセス用高圧電源を単一化した場合、ＢＫプロセスだけを利用するモノクロモード時においてもＹ、Ｍ、Ｃのプロセス処理部に高圧が供給されることになり、高圧電源の無駄な負荷が大きくなり高圧電源の寿命が短くなると共に、印刷モードによって利用されないプロセス処理部の帯電装置や現像装置も消耗することになる。
　【００１０】
　本願発明の課題は、色別に複数のプロセス処理部を有する電子写真カラー画像形成装置において、高圧電源を全て共通化し単一構成にすることが有利な構成でありながら、カラーモードとモノクロモードの２種の印刷モードを備える装置の場合、カラー用とモノクロ用とで高圧電源を夫々分離独立して利用可能に構成し、高圧電源やプロセス処理部の寿命を長期化することが出来るようにしたことを特徴とする電子写真カラー画像形成装置を提供するものである。
　【００１１】
　【課題を解決するための手段】
　本発明は上記目的を達成する為、モノクロ印刷モードと、少なくてもイエロー、マゼンダ、シアン色を合成して印刷するカラー印刷モードとを備え、各色毎に
単色の画像が形成される感光体を含むとともに
　【００１２】
　このように構成することで、カラー印刷の為に従来必要であったイエロー（Ｙ）、マゼンダ（Ｍ）、シアン（Ｃ）の各現像ユニット内の帯電器や現像ロール駆動用の高圧ユニットを単一の高圧ユニットで構成できる。この為、カラー印刷装置の大型化を防止できると共に、装置のコストアップを防止できる。
　【００１３】
　【００１４】
　【００１５】
　【００１６】
　【００１７】
　【発明の実施の形態】
　以下、本発明を適用した一実施形態について図面を用いて説明する。図１は、本実施形態の説明に使用するカラー印刷装置の概略構成図である。
　【００１８】
　本実施形態で使用するカラー印刷装置は、所謂タンデム方式のカラー印刷装置であり、用紙供給／搬送機構１、画像形成部２、定着器３で構成されている。用紙供給／搬送機構１は、記録紙Ｐを積載収納した給紙カセット４、及び用紙搬送系５で構成されている。用紙搬送系５は用紙搬送経路６に沿って記録紙Ｐを搬送する為の搬送ローラ７、画像形成部２内で記録紙Ｐを矢印方向に送る為の搬送ベルト８、この搬送ベルト８を回動ずる為の駆動ローラ９ａ、９ｂ、搬送ベルト８の回動を保持する従動ローラ１０ａ〜１０ｃで構成されている。給紙カセット４から不図示の給紙コロの駆動により用紙搬送経路６に搬出された記録紙Ｐは、搬送ローラ７の回動により搬送ベルト８に導かれ、以後搬送ベルト８の矢印方向への回動により画像形成部２内を搬送される。この間、各画像形成ユニット１１〜１４によってトナー転写が行われ、記録紙Ｐにカラー転写が成された後、定着器３によって熱定着処理を施し、機外に搬出される。尚、定着器３は熱ロール３ａと圧接ロール３ｂで構成され、記録紙Ｐが熱ロール３ａと圧接ロール３ｂ間を挟持搬送される間、記録紙Ｐに転写されたカラートナーは溶融して記録紙Ｐに印刷される。
　【００１９】
　一方、画像形成部２はイエロー（Ｙ）、マゼンダ（Ｍ）、シアン（Ｃ）、ブラック（ＢＫ）の４個の画像形成ユニットで構成されている。イエロー（Ｙ）、マゼンダ（Ｍ）、シアン（Ｃ）は、減法混色によりカラー印刷を行う画像形成ユニットであり、ブラック（ＢＫ）の画像形成ユニットはモノクロ印刷に使用する画像形成ユニットである。尚、各画像形成ユニットは記録紙Ｐの搬送方向に沿って、シアン用の画像形成ユニット１１、マゼンダ用の画像形成ユニット１２、イエロー用の画像形成ユニット１３、ブラック用の画像形成ユニット１４が順次配設されている。
　【００２０】
　各画像形成ユニット１１〜１４は、現像容器に収納された現像剤（の色）を除き、全く同じ構成であり、感光体ドラム１５の周面近傍に帯電器１６、印字ヘッド１７、現像器１８、転写器１９を順次配置する構成である。
　【００２１】
　図２は現像ユニットの詳しい構成を説明する図であり、４個の画像形成ユニット１１〜１４を代表してシアン用の画像形成ユニット１１を例にして構成を説明する。感光体ドラム１５は、その周面が例えば有機光導電性材料で構成され、感光体ドラム１５の周面近傍には上述のように、帯電器１６、印字ヘッド１７、現像ロール１８’（現像器１８）、転写器１９が順次配設されている。感光体ドラム１５は回転軸１５’を中心に矢印方向に回動し、先ず帯電器１６からの電荷付与により、感光体ドラム１５の周面は一様に帯電する。次に、印字ヘッド１７から印字情報に基づく光書き込みにより、感光体ドラム１５の周面に静電潜像が形成され、現像ロール１８’による現像処理によりトナー像を形成する。この時、感光体ドラム１５の周面に形成するトナー像は、現像容器１８に収納したシアン（Ｃ）色のトナーによる。そして、このようにして感光体ドラム１５の周面に形成されたトナー像は、感光体ドラム１５の矢印方向の回動に伴って転写部Ｃに達し、転写器１９によって搬送ベルト８上を搬送される記録紙Ｐに転写される。
　　【００２２】
　記録紙Ｐの上面に転写されたトナー像は、搬送ベルト８の移動と共に矢印方向に搬送され、上述と同様の構成の他の画像形成ユニット１２、１３によって、マゼンダ（Ｍ）、イエロー（Ｙ）のトナーが順次転写され、減法混色によるカラー印刷が行われる。例えば、印刷画像が青色であれば、減法混色の原理に基づき画像形成ユニット１１からシアン（Ｃ）色のトナーを記録紙Ｐに転写した後、画像形成ユニット１２からマゼンダ（Ｍ）色のトナーを記録紙Ｐに転写し、青色画像を実現する。また、例えば、印刷画像が赤色であれば、現像ユニット１２からマゼンダ（Ｍ）色のトナーを記録紙Ｐに転写した後、画像形成ユニット１３からイエロー（Ｙ）色のトナーを記録紙Ｐに転写し、赤色画像を実現する。
　【００２３】
　尚、図１において、画像形成ユニット１１〜１４を構成する感光体ドラム１５、帯電器１６、印字ヘッド１７、現像容器１８、転写ロール１９の各部材番号は、例えばシアン用の画像形成ユニット１１であれば、感光体ドラム１５Ｃ、帯電器１６Ｃ、印字ヘッド１７Ｃ、現像容器１８Ｃ、転写器１９Ｃとして示し、例えばマゼンダ用の画像形成ユニット１２であれば、感光体ドラム１５Ｍ、帯電器１６Ｍ、印字ヘッド１７Ｍ、現像容器１８Ｍ、転写器１９Ｍとして示す。
　【００２４】
　図３は上述の各画像形成ユニット１１〜１４に高電圧を供給するシステム構成図であり、各画像形成ユニット１１〜１４内の帯電器１６Ｃ〜１６ＢＫ、及び現像ロール１８Ｃ’〜１８ＢＫ’に駆動電圧を供給する構成である。具体的には、制御回路２１の制御に従って、高圧ユニット２２は画像形成ユニット１１〜１４内の帯電器１６Ｃ〜１６Ｙ、及び現像ロール１８Ｃ’〜１８Ｙ’に駆動電圧を供給し、高圧ユニット２３はブラック（ＢＫ）の現像ロール１４内の帯電器１６ＢＫ、及び現像ロール１８ＢＫ’に駆動電圧を供給する構成である。すなわち、このように構成することで、従来各画像形成ユニット１１〜１３毎に３個必要であった高圧ユニットを１個の高圧ユニット２２で賄うものであり、ブラック（ＢＫ）用の画像形成ユニット１４に高電圧を供給する高圧ユニット２３と合わせても２個の高圧ユニットで構成できるものである。
　【００２５】
　以上の構成のカラー印刷装置において、以下にその処理動作を説明する。先ず、モノクロ印刷の場合、ホストコンピュータから出力される印刷データを印刷装置（プリンタ装置）内の不図示のＩ／Ｆコントローラ（制御回路）によってビットマップデータに変換し、記録紙Ｐの１ページ分の印刷データをメモリに記憶する。その後、メモリから印刷データを順次読み出し、印字ヘッド１７ＢＫから感光体ドラム１５ＢＫに光書き込み行い、前述のように感光体ドラム１５ＢＫに静電潜像を形成した後、現像処理を施し、転写器１９ＢＫによって記録紙Ｐに印刷画像を転写する。その後、定着器３で熱定着処理を行った後、記録紙Ｐを機外に排出してモノクロ印刷処理を終了する。
　【００２６】
　尚、上述のモノクロ印刷処理においては、画像形成処理の間、高圧ユニット２２から帯電器１６ＢＫに対し一定の高電圧を印加し、現像ロール１８ＢＫ’に対し所定のバイアス電圧を印加し、感光体ドラム１５ＢＫに静電潜像を形成すると共に、感光体ドラム１５ＢＫに形成した静電潜像を現像する。
　【００２７】
　次に、カラー印刷の場合について説明する。この場合、ホストコンピュータから出力する印刷データを印刷装置内のＩ／Ｆコントローラ（制御回路）に出力すると、Ｉ／Ｆコントローラは印刷データからイエロー（Ｙ）、マゼンダ（Ｍ）、シアン（Ｃ）の印刷データを作成し、各色の印刷データを対応するメモリに記憶する。その後、メモリから各色の印刷データを読み出し、イエロー（Ｙ）の印刷データは印字ヘッド１７Ｙに出力され、感光体ドラム１５Ｙに光書き込み行い、マゼンダ（Ｍ）の印刷データは印字ヘッド１７Ｍに出力され、感光体ドラム１５Ｍに光書き込み行い、シアン（Ｃ）の印刷データは印字ヘッド１７Ｃに出力され、感光体ドラム１５Ｃに光書き込み行い、それぞれ感光体ドラム１５Ｙ、１５Ｍ、１５Ｃに対応する色の印刷データに基づく静電潜像を形成する。そして、それぞれの現像ロール１８Ｙ’、１８Ｍ’、１８Ｃ’によって現像処理を施し、転写部において記録紙に順次トナー画像を転写する。すなわち、最初にシアン（Ｃ）色のトナーを転写し、次にマゼンダ（Ｍ）色のトナーを転写し、最後にイエロー（Ｙ）色のトナーを転写する。
　【００２８】
　上述のようにして記録紙上に順次転写されたイエロー（Ｙ）、マゼンダ（Ｍ）、シアン（Ｃ）色のトナーは、定着器３による熱で溶融し、所望の色を有する印刷画像となり機外に排出され、カラー印刷処理を終了する。
　【００２９】
　また、上述の画像形成処理の間、帯電器１６Ｃ、１６Ｍ、１６Ｙには高圧ユニット２２から所定の高電圧が印加され、同一のタイミングで帯電器１６Ｃ、１６Ｍ、１６Ｙは対応する感光体ドラム１５Ｃ、１５Ｍ、１５Ｙに一定の電荷を付与している。また、現像ロール１８Ｙ’、１８Ｍ’、１８Ｃ’にも高圧ユニット２２から同一のタイミングでバイアス電圧が印加され、対応する感光体ドラム１５Ｃ、１５Ｍ、１５Ｙに形成された静電潜像を現像している。このように、画像形成ユニット１１〜１３に配設された帯電器１６Ｃ、１６Ｍ、１６Ｙ、及び現像ロール１８Ｙ’、１８Ｍ’、１８Ｃ’に単一の高圧ユニット２２からバイアス電圧等を印加することで、高圧ユニットの使用個数を減らし、装置の大型化が防止でき、装置内のスペースを有効利用することができる。また、装置自体のコストも低く押さえることができる。
　【００３０】
　但し、上述の構成とすると各画像形成ユニット１１〜１３の帯電器への高電圧の付与と、現像ロールヘのバイアス電圧の印加が同じタイミングとなり、初期時、帯電器による電荷付与が行われない感光体ドラム１５の位置Ａ〜Ｂ（図２）が生じる。そして、電荷付与が行われない感光体ドラム１５の位置Ａ〜Ｂがそのまま現像ロールの配設位置を通過すれば、現像ロールによるバイアス電圧により感光体ドラムの周面にはトナーが付着することになる。そこで、本実施形態では、初期時現像ロールには正規の「バイアス電圧に対して逆極性のバイアス電圧を印加する。このように現像ロールに対するバイアス電圧の印加を制御することにより、感光体ドラムヘのトナー付着を防止することができる。
　【００３１】
　また、上述の制御は全ての画像形成ユニット１１〜１３について同様であり、画像形成ユニット１１〜１３に配設された現像ロール１８Ｙ’、１８Ｍ’、１８Ｃ’に対し、同様にバイアス電圧を印加する際制御を行う。
　【００３２】
　尚、上述の実施形態の説明では、帯電器及び現像ロールに対し高圧ユニット２３から電圧を供給したが、転写ロールに対しても同様に電圧を供給する構成としても良い。
　【００３３】
　次に、本発明の他の実施形態を説明する。尚、この他の実施形態の構成は、図１に示す構成の印刷装置を使用し、図３に示す高電圧供給システムを用いる。図４及び図５は本実施形態の処理動作を説明するフローチャートである。本実施形態は、画像形成ユニット１１〜１４の中の一部の画像形成ユニットに不具合が生じた場合でも、一定の印刷処理に対しては処理を実行できるものである。
　【００３４】
　以下、先ず図４に示すフローチャートに従って説明する。先ず、各画像形成ユニット１１〜１４に異常が発生していないか判断する（ステップ（以下Ｓで示す）１））。ここで、画像形成ユニット１１〜１４に発生する異常については、機構系の不良や電気系の不良があり、またトナーの欠乏や画像形成ユニット自体が寿命である場合もあり、これらの問題が発生した場合不図示の各種センサ信号によってＣＰＵは直ちにこれを知ることができ、異常がなければ（Ｓ１がＹｅｓ）、通常の印刷処理を行う（Ｓ２）。
　【００３５】
　一方、画像形成ユニット１１〜１４に異常が発生していれば（Ｓ１がＮｏ）、異常が発生した画像形成ユニットを識別する（Ｓ３）。すなわち、ＣＰＵに供給されるセンサ信号から異常が発生した画像形成ユニットを識別し、異常が発生した画像形成ユニットに従った対処を、例えば予め登録したテーブルをもとに認識し（Ｓ４）、対処法を選択して実行する（Ｓ５）。
　【００３６】
　図５に示すフローチャートは、上述の対処法に従った処理を説明するものである。先ず、発生した異常がブラック（ＢＫ）の画像形成ユニット１４であるか判断する（ステップ（以下ＳＴで示す）１）。そして、画像形成ユニット１４に異常が発生したと判断すると（ＳＴ１がＹｅｓ）、次に他の画像形成ユニット１１〜１３が正常に動作しているか判断する（ＳＴ２）。
　【００３７】
　この判断も上述と同様、ＣＰＵに供給される他の画像形成ユニット１１〜１３からのセンサ信号に基づいて行い、例えば他の画像形成ユニット１１〜１３からも異常信号が出力していれば、印刷処理は不可能であると判断し（ＳＴ２がＮｏ）、以後の印刷処理を停止する。すなわち、この場合、モノクロ印刷処理も、カラー印刷処理も不可能であり、印刷処理を停止する。
　【００３８】
　一方、他の画像形成ユニット１１〜１３がいずれも正常である場合（ＳＴ２がＹｅｓ）、カラー印刷処理は可能であり、次の判断（ＳＴ３）を実行する。
　すなわち、現在カラー印刷モードに設定されているか否か判断し（ＳＴ３）、カラー印刷モードであれば（ＳＴ３がＹｅｓ）、以後、現像ユニット１１〜１３を使用し、イエロー（Ｙ）、マゼンダ（Ｍ）、シアン（Ｃ）の各色のトナーを用いてカラー印刷処理を実行する。したがって、上述の処理により、ブラック（ＢＫ）の画像形成ユニット１４に異常が発生し、カラー印刷用の画像形成ユニット１１〜１３が正常であれば、カラー印刷は可能であり、印刷データに従ったカラー印刷を行う。
　【００３９】
　一方、上述の判断（ＳＴ３）において、モノクロ印刷モードであれば（ＳＴ３がＮｏ）、カラー印刷モードにモード変更し（ＳＴ４）、オペレーションパネルにこのモード変更を表示した後（ＳＴ５）、カラー印刷処理を実行する。したがって、カラー印刷だけでなく、モノクロ画像はイエロー（Ｙ）、マゼンダ（Ｍ）、シアン（Ｃ）の３色を混合すれば実現できることから、カラー印刷モードにおいてもモノクロ印刷が可能である。すなわち、この場合、モノクロの印刷データを使用し、現像ロール１８Ｃ’〜１８Ｙ’の全てにバイアス電圧を印加し、現像ユニット１１〜１３を駆動し、イエロー（Ｙ）、マゼンダ（Ｍ）、シアン（Ｃ）の３色の混合によってモノクロ印刷を行う。尚、この時の処理を示す図が、図６の▲１▼である。すなわち、ブラック（ＢＫ）の現像ユニット１４に異常が発生し、モノクロ印刷モードであれば処置「１」によってモノクロ印刷データを現像ロール１８Ｙ’に出力し、処置「２」によって同じデータを現像ロール１８Ｍ’に出力し、処置「３」によって同じデータを現像ロール１８Ｃ’に出力する。
　【００４０】
　このように印刷制御することで、カラー印刷モードにおいても実質的にモノクロ印刷ができる。次に、上述の判断（Ｓ１）において、ブラック（ＢＫ）の現像ロール１４に問題がなければ（Ｓ１がＮｏ）、現在モノクロ印刷モードに設定されているか否か判断する（Ｓ６）。ここで、モノクロ印刷モードに設定されていれば（Ｓ６がＹｅｓ）、画像形成ユニット１４に問題がなく、しかもモノクロ印刷モードであるので、そのままモノクロ印刷を実行する。一方、上述の判断（Ｓ６）において、モノクロ印刷モードに設定されでなければ（Ｓ６がＮｏ）、現在カラー印刷モードであるのでモノクロ印刷モードに変更し（Ｓ７）、オペレーションパネルにモード変更を表示した後（Ｓ８）、モノクロ印刷処理を実行する。
　【００４１】
　すなわち、この場合現像ユニット１１〜１３のいずれかに異常があり、図６の▲２▼〜▲５▼に示す対応を行う。例えば、▲２▼の対応はイエロー（Ｙ）用の現像ユニット１３に異常が発生した場合の処理であり、現像ユニット１３に供給されるべき印刷データを現像ロール１８ＢＫ’に出力し、現像ユニット１４を駆動してモノクロ印刷を行う。また、▲３▼の対応はマゼンダ（Ｍ）用の現像ユニット１２に異常が発生した場合の処理であり、現像ユニット１２に供給されるべき印刷データを現像ロール１８ＢＫ’に出力し、現像ユニット１４を駆動してモノクロ印刷を行う。同様に、▲４▼の対応はシアン（Ｃ）用の現像ユニット１１に異常が発生した場合の処理であり、現像ユニット１１に供給されるべき印刷データを現像ロール１８ＢＫ’に出力し、現像ユニット１４を駆動してモノクロ印刷を行うものである。このように処理することにより、例えカラー印刷用の現像ユニット１１〜１３に異常が発生しても、モノクロ印刷に変えて印刷することができる。
　【００４２】
　尚、同図の▲５▼の対応はイエロー（Ｙ）用の現像ユニット１３とブラック（ＢＫ）用の画像形成ユニット１４に異常が発生した場合の処理であり、画像形成ユニット１３に供給されるべき印刷データを現像ロール１１及び１２に出力し、印刷することもできる。この場合、印刷される画像の色は元の印刷データと異なるが、画像を印刷することは可能である。特に、印刷の必要性によっては、印刷される画像のデザインより印刷される内容が見たいという場合もあり、このような用途には極めて重要な対処である。
　【００４３】
　【発明の効果】
　本発明によれば、カラー印刷の為の複数の画像形成ユニット内の帯電器や現像ロールを単一の高圧ユニットによって駆動できるので、装置の大型化を防止し、装置のコストダウンを図ることができる。
　【００４４】
【図面の簡単な説明】
　【図１】
　本実施形態の説明に使用するカラー印刷装置の概略構成図である。
　【図２】
　現像ユニットの詳しい構成を説明する図であり、４個の現像ユニットを代表してシアン用の現像ユニットを例にして構成を説明する図である。
　【図３】
　各画像形成ユニットに高電圧を供給するシステム構成図である。
　【図４】
　本実施形態の処理動作を説明するフローチャートである
　【図５】
　本実施形態の処理動作を説明するフローチャートである
　【図６】
　画像形成ユニットに異常が発生した時の処理を説明するテーブルである。
　【符号の説明】
１　用紙供給／搬送機構
２　画像形成部
３　定着器
４　給紙カセット
５　用紙搬送系
６　用紙搬送経路
７　搬送ローラ
８　搬送ベルト
９ａ、９ｂ　搬送ベルト
１０ａ〜１０ｃ　従動ローラ
１１〜１４　画像形成ユニット
１５、１５Ｙ、１５Ｍ、１５Ｃ　感光体ドラム
１６、１６Ｃ、１６Ｍ、１６Ｙ　帯電器
１７　印字ヘッド
１８、１８Ｙ’、１８Ｍ’、１８Ｃ’　現像ロール
１９　転写器